(57)【要約】【課題】手扱ぎ作業時には安全かつ容易に手扱ぎ作業を行えるようにすると共に、通常作業時には刈取り穀稈を良好な搬送姿勢で搬送できるようにする。【解決手段】フィードチエン２７の搬送始端部に設けた穀稈支持手段４４を、フィードチエン２７の搬送始端部の上方を覆う手扱ぎ作業位置と、前処理部２８により刈取られた穀稈の株元を下方からガイドする通常作業位置とに選択的に切換え自在とする。こうして、手扱ぎ作業時には、フィードチエン２７の搬送始端部が穀稈支持手段４４により覆われた状態で、手刈り穀稈の手扱ぎ作業を行うことが可能となり、また、通常作業時には、前処理部２８で刈取られた穀稈を穀稈支持手段４４によりスムーズにガイドして、良好な搬送姿勢での搬送を可能とする。【選択図】      図１
2004187592.tif 000002
【特許請求の範囲】
【請求項１】
前処理部にて刈取られた穀稈を挟持して脱穀部に向け搬送するフィードチエンを備えたコンバインの脱穀装置において、
前記フィードチエンの搬送始端部に穀稈支持手段を設け、該穀稈支持手段を、
前記フィードチエンの搬送始端部の上方を覆い、手刈り穀稈を載置する手扱ぎ作業位置と、
前記フィードチエンの搬送始端部の側方にて、前記前処理部により刈取られた穀稈の株元を下方からガイドする通常作業位置と、
に選択的に切換え自在とした、
ことを特徴とするコンバインの脱穀装置。
【請求項２】
前記穀稈支持手段は、フィードチエン支持部材に固定され前記穀稈の搬送方向を向く回動支点軸に上下回動自在に基端部が軸着された第１の部材と、該第１の部材の先端部にて該第１の部材に対し前記穀稈の搬送方向と略々直交方向にスライド自在な第２の部材と、を有し、
前記第１の部材が前記回動支点軸を中心として上方に回動し、第１の部材に対し前記第２の部材が一方向にスライドすると、前記フィードチエンの搬送始端部の上方を覆う前記手扱ぎ作業位置となり、
前記第１の部材が前記回動支点軸を中心として前記フィードチエンの搬送始端部の側方に回動し、第１の部材に対し前記第２の部材が前記一方向と反対方向にスライドして前記通常作業位置となるように構成した、
ことを特徴とする請求項１記載のコンバインの脱穀装置。
【発明の詳細な説明】
【０００１】
【発明の属する技術分野】
本発明はコンバインの脱穀装置に関し、詳しくはフィードチエンの搬送始端部に、手扱ぎ作業姿勢と通常作業姿勢とに切換え自在な穀稈支持手段を設けたコンバインの脱穀装置に関する。
【０００２】
【従来の技術】
コンバインは、前処理部にて刈取られた穀稈を挟持して搬送する株元搬送チエンと、該株元搬送チエンにより搬送されてきた穀稈を適当な扱深さに調節する扱深さ搬送チエンと、該扱深さ搬送チエンによって移送された穀稈をフィードチエンによって脱穀部に向け搬送する脱穀装置とを備えており、従来、このフィードチエンはその搬送始端部が外部に露出していた。
【０００３】
一方、圃場の隅部の穀稈をコンバインで刈取るのは、機体の旋回半径等との関係から困難であるため、隅部の穀稈を手刈りし、この手刈りした穀稈を手扱ぎ作業することが行われているが、穀稈を手扱ぎ作業する際、作業者の衣類等がフィードチエンに巻き込まれるおそれがあった。特に、大型コンバインの場合は、チエン速度が速いため、衣類等の巻き込みを回避すべく細心の注意を払いながら作業を行っていた。
【０００４】
これに対し、例えば特許文献１と特許文献２のように、フィードチエンの搬送始端部を覆うチエン覆い板を設けた技術が公知である。そして、特許文献１によれば、前記チエン覆い板をフィードチエンの側方に上下移動自在に配置し、フィードチエンの搬送始端部が露出する下降位置と、フィードチエンの搬送始端部を上方から覆う上昇位置とに切換え自在に構成し、前記下降位置では通常作業による刈取脱穀を行い、また、前記上昇位置では穀稈の詰りを防止しつつ手扱ぎ作業を行えるようにした点が開示されている。
【０００５】
また、特許文献２によれば、脱穀装置本体に穀稈載置支持体を取付け、この穀稈載置支持体を、フィードチエンの搬送始端部を上方から覆う作用姿勢と、フィードチエンの循環経路よりも下方の位置に格納される格納姿勢とに切換え可能に構成し、前記と同様に、前記作用姿勢では手扱ぎ作業を行えるようにし、また、前記格納姿勢では通常作業による刈取脱穀を行うようにした点が開示されている。
【０００６】
【特許文献１】
特開平８−２４２６６８号公報
【特許文献２】
特開２００１−２３１３４１号公報
【０００７】
【発明が解決しようとする課題】
しかし、前述した特許文献１及び特許文献２に開示された技術によると、手扱ぎ作業時にフィードチエンの搬送始端部を覆うようにチエン覆い板、又は穀稈載置支持体を設けている点で共通しているが、いずれの場合も、前処理部により刈取られた穀稈をフィードチエンにより脱穀部に向け搬送する通常作業時に、前記チエン覆い板又は穀稈載置支持体が、搬送される穀稈の株元をガイドする作用は有していない。
【０００８】
このため、従来においては、前述した通常作業時に、フィードチエンの搬送始端部を通過する穀稈を外部からガイドする部材は何もなかったため、搬送始端部から脱穀部に至る途中で穀稈の搬送姿勢が乱れるという課題があった。
【０００９】
本発明は、斯かる課題を解決するためになされたもので、その目的とするところは、手扱ぎ作業時には安全かつ容易に手扱ぎ作業を行うことができ、また、通常作業時には刈取り穀稈を良好な搬送姿勢で搬送することのできるコンバインの脱穀装置を提供することにある。
【００１０】
【課題を解決するための手段】
前記目的を達成するため、請求項１に係る発明は、前処理部（２８）にて刈取られた穀稈を挟持して脱穀部（２６）に向け搬送するフィードチエン（２７）を備えたコンバイン（１０）の脱穀装置において、
前記フィードチエン（２７）の搬送始端部に穀稈支持手段（４４）を設け、該穀稈支持手段（４４）を、
前記フィードチエン（２７）の搬送始端部の上方を覆い、手刈り穀稈を載置する手扱ぎ作業位置と、
前記フィードチエン（２７）の搬送始端部の側方にて、前記前処理部（２８）により刈取られた穀稈の株元を下方からガイドする通常作業位置と、に選択的に切換え自在としたことを特徴とする。
【００１１】
請求項２に係る発明は、請求項１記載のコンバインの脱穀装置において、前記穀稈支持手段（４４）は、フィードチエン支持部材（５４）に固定され前記穀稈の搬送方向を向く回動支点軸（１５２ａ）に上下回動自在に基端部が軸着された第１の部材（１４８）と、該第１の部材（１４８）の先端部にて該第１の部材（１４８）に対し前記穀稈の搬送方向と略々直交方向にスライド自在な第２の部材（１４６）と、を有し、
前記第１の部材（１４８）が前記回動支点軸（１５２ａ）を中心として上方に回動し、第１の部材（１４８）に対し前記第２の部材（１４６）が一方向にスライドすると、前記フィードチエン（２７）の搬送始端部の上方を覆う前記手扱ぎ作業位置となり、
前記第１の部材（１４８）が前記回動支点軸（１５２ａ）を中心として前記フィードチエン（２７）の搬送始端部の側方に回動し、第１の部材（１４８）に対し前記第２の部材（１４６）が前記一方向と反対方向にスライドして前記通常作業位置となるように構成したことを特徴とする。
【００１２】
［作用］
本発明によれば、フィードチエン（２７）の搬送始端部に設けた穀稈支持手段（４４）を、フィードチエン（２７）の搬送始端部の上方を覆う手扱ぎ作業位置と、前処理部（２８）により刈取られた穀稈の株元を下方からガイドする通常作業位置とに選択的に切換え自在としたので、手扱ぎ作業時には、フィードチエン（２７）の搬送始端部が穀稈支持手段（４４）により覆われた状態で、手刈り穀稈の手扱ぎ作業を行うことが可能となり、また、通常作業時には、前処理部（２８）で刈取られた穀稈を穀稈支持手段（４４）によりスムーズにガイドして、良好な搬送姿勢での搬送を可能とし、これにより穀稈の詰りや不揃い搬送等が防止される。
【００１３】
なお、上述した括弧内の符号は、図面を対照するためのものであって、本発明を何ら限定するものではない。
【００１４】
【発明の実施の形態】
以下、図面に基づき本発明の実施の形態を説明する。
【００１５】
図１は、本発明に係る脱穀装置が搭載されたコンバインの概略の側面図であり、このコンバイン１０は、左右一対のクローラ走行装置１２，１２に支持された走行機体１４を有し、該走行機体１４の上部左右一側には、キャビン１６にて覆われ座席シート１８と操作レバー２０等を有する操縦部２２と、穀粒タンク２４等を有し、左右他側には脱穀部２６を有している。穀粒タンク２４の後部の機体取付面からは、縦筒２５ａが立設され、該縦筒２５ａの上部にてオーガ排出筒２５が起伏自在かつ回転自在に支持されている。また、走行機体１４の前方には、穀稈を刈取る前処理部２８が昇降自在に支持されている。
【００１６】
前記脱穀部２６は、前処理部２８で刈取った穀稈を挟持して扱室（図示せず）内に搬送するフィードチエン２７を有し、該フィードチエン２７はチエン側面カバー３１により一側面を覆われている。すなわち、前処理部２８で刈取られた穀稈は、フィードチエン２７とレール３２によって挟持されながら扱室内に供給される。供給された穀稈は、扱室内で図示しない扱胴により脱穀されると共に選別処理され、穀粒タンク２４に一時的に貯留される。なお、脱穀後の排ワラは後処理装置２９に搬送され、該後処理装置２９にて切断又は結束されて圃場に排出される。
【００１７】
前記前処理部２８は、引起し装置３０と、走行機体１４の略々左右全幅にわたって植立穀稈を分草する複数のデバイダ３４、左右端のデバイダから後方に延設され、隣接条間を分草する左右のナローガイド３５等を有している。更に、左右端のデバイダから走行機体１４の前部に向って前処理フレーム３６が延設されていて、該前処理フレーム３６の後端部は、走行機体１４の上部から機体前方に向け下方に傾斜配置された筒状フレーム３８の下部に連結されている。この筒状フレーム３８が、油圧シリンダ（図示せず）により駆動されて、前処理部２８が昇降駆動される。
【００１８】
ここで、例えばコンバイン１０により水田や畑で稲、麦の収穫を行う場合、走行機体１４の旋回半径等の関係から、圃場の隅部に刈り残し部分が発生することがあり、この場合は作業者が手刈りにより穀稈の収穫を行う。そして、収穫した穀稈は、扱室を覆うカバー４０及びこれと一体の入口ガイド棒４２を上方に開放して、手で穀稈をフィードチエン２７の挟持口に供給する、いわゆる手扱ぎ脱穀作業が行われる。
【００１９】
この場合、本実施形態では、フィードチエン２７の搬送始端部に穀稈支持手段４４を設け、該穀稈支持手段４４を、手扱ぎ作業位置と通常作業位置とに選択的に切換え自在としている。
【００２０】
すなわち、図２に示すように、穀稈支持手段４４は、手扱ぎ作業時に手刈り穀稈を載置する載置板４６、及び通常作業時に前処理部２８により刈取られた穀稈の株元を下方からガイドするガイド板４８を有する側面視略Ｌ字状の支持金具５０と、前記ガイド板４８と一体的に固定され、該ガイド板４８から一方（図の下方）に突出された突出部４８ａと、該突出部４８ａの先端に設けられた球状のボール部５２とを有している。
【００２１】
そして、例えば前記ボール部５２を、チエン側面カバー３１の内側のチエン取付板（図４参照）５４に、図示しないボール受けを介してボール継手として取付けることで、図２の実線位置では、支持金具５０の載置板４６がフィードチエン２７の搬送始端部の上方を覆う手扱ぎ作業位置に設定され、また、ボール部５２を中心として支持金具５０をフィードチエン２７に当接しないように、該フィードチエン２７の取付け位置から離反するように矢印方向に回動し、更に、該支持金具５０をボール部５２を中心として１８０度回動することで、図２の二点鎖線位置になる。この位置では、ガイド板４８が、前処理部２８により刈取られた穀稈の株元を下方からガイドする通常作業位置に設定される。
【００２２】
図３乃至図６は、本実施の形態における穀稈支持手段４４の具体例を示している。
【００２３】
すなわち、例えば図４において、フィードチエン２７の側方を覆うチエン側面カバー３１の機体内側方に、チエン取付板（チエン支持部材）５４が固定されており、このチエン取付板５４には、回動支点軸１５２ａが穀稈の搬送方向を向くヒンジ１５２の一端がボルト５６により取付けられていて、このヒンジ１５２の他端には、ブラケット（第１の部材）１４８の基端部が溶接固定されている。また、このブラケット１４８の先端部は、略々Ｌ字状に折曲されたスライド支持部１４８ａを有している。更に、このブラケット１４８に対し、穀稈の搬送方向と略々直交する方向（矢印方向）にスライド自在にカバー（第２の部材）１４６が支持されている。このカバー１４６は、そのスライド方向の両端側が略々直角に折り曲げられた折曲部１４６ａ，１４６ｂを有し、かつ一方の折曲部１４６ａの先端には、ゴム製のダンパ５８が取付けられている。また、このカバー１４６には、前記折曲部１４６ａ，１４６ｂを連結するように、かつ前記ブラケット１４８に形成された孔（図示せず）を貫通する丸棒６０，６０が溶接固定されている。そして、このカバー１４６は、丸棒６０，６０により、ブラケット１４８に対しスライド自在に構成されることになる。
【００２４】
図３及び図４は、穀稈支持手段４４が手扱ぎ作業位置にある状態を示している。すなわち、この手扱ぎ作業位置では、ブラケット１４８がヒンジ１５２の回動支点軸１５２ａを中心として起立状態となるように上方に回動し、更に、前記ブラケット１４８に対しカバー１４６が一方向（フィードチエン２７の方向）にスライドして、該カバー１４６がフィードチエン２７の搬送始端部の上方を覆っている。このとき、カバー１４６自身の重量のモーメントの作用で、ブラケット１４８は略々垂直に起立した状態に保持されている。
【００２５】
この手扱ぎ作業位置にあっては、フィードチエン２７の搬送始端部の上方はカバー１４６にて覆われていると共に、この状態でカバー１４６の上面に手刈り穀稈を載置して、該穀稈を適量づつフィードチエン２７の挟持口に供給することができる。
【００２６】
また、図５及び図６は、穀稈支持手段４４が通常作業位置にある状態を示している。すなわち、この通常作業位置では、ブラケット１４８がヒンジ１５２の回動支点軸１５２ａを中心としてフィードチエン２７の搬送始端部の外側方に回動し、ブラケット１４８に対しカバー１４６が前記一方向と反対方向にスライドした状態になっている。このとき、図６に示すように、カバー１４６の一方の折曲部１４６ａの先端に設けられたダンパ５８が、チエン側面カバー３１に当接して、穀稈支持手段４４が位置保持されている。
【００２７】
この通常作業位置にあっては、前処理部２８にて刈取られた穀稈が、フィードチエン２７の搬送始端部から脱穀部２６に向け搬送される途中で、穀稈の株元がブラケット１４８により下方から支持され、かつ搬送方向に向けてガイドされる。また、本実施形態によれば、回動操作とスライド操作を行うことで、穀稈支持手段４４を通常作業位置と手扱ぎ作業位置とに簡単に位置切換えすることができる。
【００２８】
次に、作用について説明する。
【００２９】
コンバイン１０により、圃場に植立されている穀稈の刈取作業を行う場合、前処理部２８で刈取られた穀稈は、掻き込み搬送装置によりフィードチエン２７に引継がれ、該フィードチエン２７に引継がれた穀稈はフィードチエン２７とレール３２とによって挟持されながら脱穀部２６に供給され、この脱穀部２６で脱穀選別される。このような、コンバイン１０による通常作業を行うには、フィードチエン２７の搬送始端部に設けられた穀稈支持手段４４を、図５及び図６に示すように、通常作業位置に設定する。
【００３０】
そして、穀稈支持手段４４を通常作業位置に設定するには、ブラケット１４８をヒンジ１５２の回動支点軸１５２ａを中心としてフィードチエン２７の搬送始端部の外側方に回動すると共に、該ブラケット１４８に対しカバー１４６を図の矢印方向（斜め下方）に引き伸ばすようにスライドさせる。このとき、カバー１４６の下端側は、ダンパ５８がチエン側面カバー３１に当接して位置保持されている。この状態で、前処理部２８にて刈取られた穀稈がフィードチエン２７の搬送始端部に送られてくると、図６に示すように、正面視にて外側方がやや低く傾斜するように配置したブラケット１４８の一側表面により、穀稈が下方から支持されると共に、該一側表面により穀稈の株元がガイドされた状態で脱穀部２６に向け搬送される。
【００３１】
これにより、前処理部２８で刈取られた穀稈は、その株元がブラケット１４８によりスムーズにガイドされて良好な搬送姿勢で搬送されることとなり、搬送途中での穀稈の詰りや不揃い搬送等の発生が防止される。
【００３２】
次に、圃場の隅部には、走行機体１４の旋回半径等の関係から刈り残し部分が発生することがあり、この場合は作業者が手刈りにより穀稈の収穫を行う。この手刈り穀稈は、コンバイン１０の走行を停止した状態で作業者が手でフィードチエン２７とレール３２の挟持口に穀稈を供給することで、該フィードチエン２７により脱穀部に供給されて脱穀・選別が行われる。この手扱ぎ作業を行うには、図３及び図４に示すように、穀稈支持手段４４を、手扱ぎ作業位置に設定する。
【００３３】
そして、穀稈支持手段４４を手扱ぎ作業位置に設定するには、まず、扱室を覆うカバー４０及びこれと一体の入口ガイド棒４２を上方に開放する。次いで、前述した通常作業位置にある穀稈支持手段４４を、図４に示すように、ブラケット１４８を回動支点軸１５２ａを中心として上方に回動し、更にカバー１４６を機体内方（フィードチエン２７側）に延ばすようにスライドさせる。この状態で、カバー１４６は一端をスライド支持部１４８ａに支持された片持ち支持状態となり、このとき、ブラケット１４８には、カバー１４６自身の重量による反時計方向の回転モーメントが生じ、これにより穀稈支持手段４４は安定した状態に保持される。
【００３４】
この状態で、カバー１４６の上面を載置面として該カバー１４６上に手刈り穀稈を載せ、この手刈り穀稈を、フィードチエン２７とレール３２との挟持口に適量づつ供給する。この手扱ぎ作業位置では、フィードチエン２７の搬送始端部がカバー１４６により覆われているため、安全かつ容易に手扱ぎ作業を行うことができる。
【００３５】
【発明の効果】
以上説明した通り、請求項１に係る発明によれば、フィードチエンの搬送始端部に設けた穀稈支持手段を、フィードチエンの搬送始端部の上方を覆う手扱ぎ作業位置と、前処理部により刈取られた穀稈の株元を下方からガイドする通常作業位置とに選択的に切換え自在としたので、手扱ぎ作業時には、フィードチエンの搬送始端部が穀稈支持手段により覆われた状態で、安全かつ容易に手刈り穀稈を手扱ぎ作業することができる。また、通常作業時には、前処理部で刈取られた穀稈をスムーズにガイドして、搬送姿勢を良好にした状態で搬送することができる。これにより、穀稈の詰りや不揃い搬送等を防止することができる。
【００３６】
請求項２に係る発明によれば、穀稈支持手段は、フィードチエン支持部材に固定され穀稈の搬送方向を向く回動支点軸に上下回動自在に基端部が軸着された第１の部材と、該第１の部材の先端部にて該第１の部材に対し穀稈の搬送方向と略々直交方向にスライド自在な第２の部材とを有するので、回動操作とスライド操作により簡単に穀稈支持手段の位置切換えを行うことができ、このため、手扱ぎ作業位置から通常作業位置に切換える場合にも、フィードチエン自身に手を触れることなく安全に作業位置の切換えを行うことができる。
【図面の簡単な説明】
【図１】本発明が適用されたコンバインの側面図である。
【図２】穀稈支持手段の外観斜視図である。
【図３】手扱ぎ作業位置における穀稈支持手段の取付け状態を示す図である。
【図４】図３のＡ方向矢視図である。
【図５】通常作業位置における穀稈支持手段の取付け状態を示す図である。
【図６】図５のＢ方向矢視図である。
【符号の説明】
１０      コンバイン
２６      脱穀部
２７      フィードチエン
２８      前処理部
４４      穀稈支持手段
４６      載置板
４８      ガイド板
４８ａ    突出部
５０      支持金具
５２      ボール部
５４      チエン取付板（フィードチエン支持部材）
１４６    カバー（第２の部材）
１４６ａ，１４６ｂ      折曲部
１４８    ブラケット（第１の部材）
１４８ａ  スライド支持部
１５２    ヒンジ
１５２ａ  回動支点軸
【図１】
2004187592.tif 000003
【図２】
2004187592.tif 000004
【図３】
2004187592.tif 000005
【図４】
2004187592.tif 000006
【図５】
2004187592.tif 000007
【図６】
2004187592.tif 000008